(57)【要約】【課題】  香気のコンタミネーションを抑制し、かつ複数人での複数の香料の同時評価の容易さ及び正確性を確保し、香料提示の改善及び促進をかなえる、香料提示用具を提供する。【解決手段】  複数の香料保持材収容部と、前記複数の香料保持材収容部を保持する基部と、を含む香料提示用具であって、香料保持材収容部は、香料不透過性であり、略扁平の袋状をなし、かつ、香料保持材の挿入、抜出、及び表出が可能な開口部を有する、香料提示用具とする。【選択図】  図１
2018116124.tif 000002
【特許請求の範囲】
【請求項１】
複数の香料保持材収容部と、
前記複数の香料保持材収容部を保持する基部と、
を含む香料提示用具であって、
前記香料保持材収容部は、香料不透過性であり、略扁平の袋状をなし、かつ、香料保持材の挿入、抜出、及び表出が可能な開口部を有する、香料提示用具。
【請求項２】
前記香料保持材収容部は更に、前記開口部の一部から突出する挿入ガイド部を有する、請求項１に記載の香料提示用具。
【請求項３】
前記香料保持材収容部は、長手方向及び短手方向を有し、該長手方向の一端に前記開口部を有する、請求項１又は２に記載の香料提示用具。
【請求項４】
前記基部の大きさが略Ｂ６からＡ３の範囲内であり、前記香料保持材収容部の短手方向の長さが約１〜３ｃｍの範囲内であり、かつ前記香料保持材収容部の長手方向の長さが約５〜１８ｃｍの範囲内である、請求項１〜３のいずれか１項に記載の香料提示用具。
【請求項５】
１個以上の表示部を更に備える、請求項１〜４のいずれか１項に記載の香料提示用具。
【請求項６】
前記複数の香料保持材収容部が、複数のグループに分かれるように配置されている、請求項１〜５のいずれか１項に記載の香料提示用具。
【請求項７】
前記香料保持材収容部の一部又は全部が、二軸延伸ポリプロピレン及び／又はポリアミド系多層延伸フィルムで構成される、請求項１〜６のいずれか１項に記載の香料提示用具。
【請求項８】
請求項１〜７のいずれか１項に記載の香料提示用具を用いた、複数の香料を提示する方法。
【請求項９】
香料保持材に香料を保持させた後、前記香料保持材収容部に前記香料保持材を収容し、その後香料の提示を行う、請求項８に記載の方法。
【請求項１０】
前記香料保持材の先端から約１〜５ｃｍの範囲内に香料を保持させる、請求項８又は９に記載の方法。
【発明の詳細な説明】
【技術分野】
【０００１】
本発明は、香料提示用具及び香料提示方法に関する。より詳細には、香気のコンタミネーションを抑制し、かつ複数人での複数の香料の同時評価の容易さ及び正確性を確保する、香料提示用具及び香料提示方法に関する。
【背景技術】
【０００２】
従来、香料を提示する際は、香料を収容するサンプル瓶から香料の香りを直接かぐか、サンプル瓶と香料を揮散可能に保持する香料保持材（例えば、匂い紙等）とを用い、提示の場にてサンプル瓶中の香料を香料保持材に保持させて、会議室の机上などの開放系に置き、その香料保持材を手に取って、香料の香りをかぐのが一般的である。
【０００３】
このような香料提示のための技術として、キャップ付きサンプル瓶及びそれを用いた香料プレゼンテーション方法が提案されている（特許文献１）。特許文献１によると、このキャップ付きサンプル瓶は、キャップ上面に瓶の中身を示す表示手段が貼り付けられているため、複数のサンプル瓶から目的の瓶を迅速に見つけ出すことができるだけでなく、キャップを瓶本体から外してもどのサンプル瓶のものであるか判別が容易なためキャップの間違いによる香気のコンタミネーションを防止できるものであるとされる。
【０００４】
しかし、香りをかぐ又は香料を香料保持材に含ませる際に複数のサンプル瓶のキャップを外すと、香料提示の場に複数の香気が揮散して香気のコンタミネーション（以下コンタミと略称する）が起こり、香料の提示において正確性を損なうという問題がある。また複数の香料の提示の場合、香料提示の場にて多くの香料を香料保持材に含ませる必要があり、提示作業が煩雑かつ長時間を要し、非効率的である。更に、香料の種類が多くなると、各香料の特徴や分類を理解しながら評価検討を行うのが困難である。
【０００５】
これまで、香料提示における香気のコンタミ防止や簡便さを追求した技術として、次のような香料提示用具が提案されてきた。
【０００６】
特許文献２は、香料マイクロカプセルを紙の半分に印刷した後、紙を半分に折り返して印刷面と対向する面と接着し、接着面を引き剥がす際に臭気を開放する臭気検査用カードキットを開示しており、カードには香料に関する情報が記載されている。特許文献２によると、臭気を拡散させず、短時間に簡便に多種類の香りをかげるとされている。また特許文献３も、特許文献２と同様の技術によるシート型ニオイ提示用具を開示している。
【０００７】
しかし特許文献２、３では、包装材をいったん引き剥がすと香気の揮散が抑制できず香気のコンタミを抑制できないうえ、香料をマイクロカプセル化する必要性があり用意に手間とコストがかかる。また香料の種類が多くなると、カードが提示の場にあふれて各香料の特徴や分類などが簡単には区別又は理解できなくなり、分かりづらくなるという問題がある。
【０００８】
また特許文献４は、マイクロパウダー化した香料を混入した粘性の固形ベースをスティック状に成形し、更に収容容器に装填してなるスティック型ニオイ提示用具を開示しており、スティックを収容容器に封入可能なため香料の保存性に優れるものであると記載している。
【０００９】
この提示用具では、香料を保持するスティック及びその収容具の用意に多くの手間とコストがかかり、これを用いた香料提示方法は簡便な方法とは言い難く、更に、多くのスティックを香料提示の場まで携帯するのは嵩などの観点から不便である。また香料の種類が多くなるとスティックが提示の場に乱立し、特許文献２、３と同様に各香料の特徴などが分かりづらくなるという問題がある。
【００１０】
そこで、複数の香料を一つの基部に保持するシート状の香料提示用具も提案されている。
【００１１】
特許文献５は、マイクロパウダー化した香料を紙に塗布し、その紙を臭気不透過性の包装材によって真空パックしてなるシート型ニオイ提示用具を開示しており、１つの台紙上に複数のマイクロパウダー化香料が塗布された態様を開示している。また、特許文献６は、台紙上に香料含有熱可塑性フィルムを貼着し、その上に剥離及び再貼合可能な香気不透過シートを貼合した香料見本を開示しており、香気不透過シートを再貼合すれば香りの揮散も抑えられると記載している。また複数の香気を提示する態様として、同じ台紙上に香料含有熱可塑性フィルムを複数貼合するか、同フィルムを１枚貼合した香り見本を複数枚綴じ合わせる態様を開示している。
【００１２】
しかしこれらの提示用具では、香料を保持する材を台紙上から剥がすことができず、複数の香料保持材を貼り付けた台紙を用いて複数人で同時に香料の香りをかぐ場合、隣接又は近傍の香りとのコンタミが起こると考えられる。更にこれらの提示用具では、複数人で隣接又は近傍に配置された香料の香りを同時にかぐことは空間的に困難であり、複数人での香料の同時評価には不適と言わざるを得ない。更に香料をマイクロパウダー化する又は樹脂フィルムに吸着させるのに手間やコストがかかり提示用具の用意が煩雑である。
【先行技術文献】
【特許文献】
【００１３】
【特許文献１】特開２００２−１２８０８５号公報
【特許文献２】特許第５３９０８０９号公報
【特許文献３】実登第３１３９０９８号公報
【特許文献４】特許第３６９４４０９号公報
【特許文献５】実登第３１２８８１６号公報
【特許文献６】実公平６−１７１４４号公報
【発明の概要】
【発明が解決しようとする課題】
【００１４】
本発明の課題は、香気のコンタミを抑制し、かつ複数人での複数の香料の同時評価の容易さ及び正確性を確保する、新規な香料提示用具を提供することである。
【課題を解決するための手段】
【００１５】
本発明者らは、上記課題を解決するために鋭意検討したところ、以下の手段によって上記課題が解決することを見出した。
【００１６】
かくして、本発明は以下のものを提供する。
［１］  複数の香料保持材収容部と、
前記複数の香料保持材収容部を保持する基部と、
を含む香料提示用具であって、
前記香料保持材収容部は、香料不透過性であり、略扁平の袋状をなし、かつ、香料保持材の挿入、抜出、及び表出が可能な開口部を有する、香料提示用具。
［２］  前記香料保持材収容部は更に、前記開口部の一部から突出する挿入ガイド部を有する、［１］に記載の香料提示用具。
［３］  前記香料保持材収容部は、長手方向及び短手方向を有し、該長手方向の一端に前記開口部を有する、［１］又は［２］に記載の香料提示用具。
［４］  前記基部の大きさが略Ｂ６からＡ３の範囲内であり、前記香料保持材収容部の短手方向の長さが約１〜３ｃｍの範囲内であり、かつ前記香料保持材収容部の長手方向の長さが約５〜１８ｃｍの範囲内である［１］〜［３］のいずれかに記載の香料提示用具。
［５］  １個以上の表示部を更に備える、［１］〜［４］のいずれかに記載の香料提示用具。
［６］  前記複数の香料保持材収容部が、複数のグループに分かれるように配置されている、［１］〜［５］のいずれかに記載の香料提示用具。
［７］  前記香料保持材収容部の一部又は全部が、二軸延伸ポリプロピレン及び／又はポリアミド系多層延伸フィルムで構成される、［１］〜［６］のいずれか１項に記載の香料提示用具。
［８］  ［１］〜［７］のいずれかに記載の香料提示用具を用いた、複数の香料を提示する方法。
［９］  香料保持材に香料を保持させた後、前記香料保持材収容部に前記香料保持材を収容し、その後香料の提示を行う、［８］に記載の方法。
［１０］  前記香料保持材の先端から約１〜５ｃｍの範囲内に香料を保持させる、［８］又は［９］に記載の方法。
【発明の効果】
【００１７】
本発明の香料提示用具は、複数の香料保持材収容部を有するため、複数の香料保持材を個別に収容可能である。そのため、いったん香料保持材収容部から抜出した香料保持材を単に香料保持材収容部の開口部より再挿入するだけで香気のコンタミを防ぐことができ、複数の香料の提示の正確性を高くすることができる。
【００１８】
更に本発明は香気のコンタミのリスクが低いため、香料ごとに提示の場を変える必要がなく複数人で同時に複数の香料を評価することを可能にする。香りをかぐ場が異なると同じ香りでも異なる印象を与え得るため、本発明によって香料評価の正確性を高くすることができる。
【００１９】
また、複数の香料保持材収容部を有することで、複数の収容部の配置を香調別など所望のグループにわけるなどして、香料ごとに独立した提示ではなく複数の香料をまとめて提示することで、一瞥して香料の分類特徴が理解可能であり、より分かりやすい状態での複数の香料の提示が可能である。
【００２０】
加えて、例えば、市販の匂い紙（香料保持材）と、市販の香料不透過性匂い紙収容袋（香料保持材収容部）と、適当な台紙（基部）とを利用した場合には、当該匂い紙収容袋を粘着テープなどで台紙に貼着するだけで、簡便かつ低コストで香料提示用具を用意でき、更に提示にあたっては単に香料を含浸や擦付などした匂い紙を収容するだけでよいので、従来に比べ香料提示の省力化が図れる。
【００２１】
本発明はこのように、香気のコンタミネーションを抑制し、複数の香料の提示において高い正確性、簡便性、迅速性、分かりやすさ、低コスト化を実現することで、複数人での複数の香料の同時評価の容易さ及び正確性を確保するものであり、香料の提示活動を改善及び促進するものである。
【図面の簡単な説明】
【００２２】
【図１】本発明の一実施態様における香料提示用具の全体斜視図である。
【図２】本発明の他の実施態様における２種類の香料保持材収容部を有する香料提示用具の全体斜視図である。
【図３】本発明の他の実施態様における香料提示用具の全体斜視図である。
【図４】本発明の他の実施態様における香料保持材収容部の全体斜視図である。
【図５】本発明の他の実施態様における香料提示用具の正面図である。
【発明を実施するための形態】
【００２３】
＜＜香料提示用具＞＞
本発明の香料提示用具（以下、単に香料提示用具とも称する）は、複数の香料保持材収容部と、複数の香料保持材収容部を保持する基部と、を含むことを特徴とする。香料保持材収容部の個数は、２個以上の任意の数でよい。
【００２４】
図１は、本発明の一実施態様にかかる香料提示用具Ｔを図示するものであり、香料提示用具Ｔは、香料保持材収容部２、及び複数の香料保持材収容部２を保持する基部１を含む。本実施態様においては、香料保持材Ｈ（例えば、匂い紙）は、図１に示す矢印のように、香料保持材収容部２の開口部３から挿入される。
【００２５】
複数の香料保持材収容部２は、任意の手段によって基部１に保持されていてよい。例えば、香料保持材収容部２は基部１に、粘着力、磁力など任意の力によって持着されていても、任意の手段によって融着されていても、紐や鎖などの任意の連結手段を介して連結されていてもよい。また香料保持材収容部２は、基部１から脱着又は剥離可能でも不可能でもよい。以上の各種保持態様は１種でも２種以上でもよい。例えば、複数の香料保持材収容部２のうち一定数は基部１に貼着され、残りの香料保持材収容部２は基部１に連結されていてもよい。
【００２６】
基部１は、複数の香料保持材収容部２を互いに任意の配置関係にて保持してよい。図１は３個及び２個が近接してグループを形成し、各グループが一定距離以上離間している態様を示す。このように、複数の香料保持材収容部２が複数のグループに分かれるように配置されている場合、提示する香料の特徴ごとにグループ化（分類）して香料保持材を配置することが可能となる。なお、複数の香料保持材収容部２の配置は、互いに近接もしくは接した状態のみ又は離間した状態のみでもよい。更に具体的な配置例としては、略長方形の基部１に、略長方形の複数の香料保持材収容部２をその長手方向が略平行になるようにかつ複数グループを形成するように配置する態様、略半円又は扇形の基部１に、略扇形の複数の香料保持材収容部２を互いに半径にて接するように配置する態様、などが挙げられるが、これらに限定されない。
【００２７】
＜基部＞
基部１は、任意の立体形状、平面形状、大きさ、及び材質を有してよい。
【００２８】
基部１の立体形状の例として、薄板、フィルム、シート、立体成形物などが挙げられるが、これらに限定されない。
【００２９】
基部１の平面形状（輪郭、外形、シルエットともいう）の具体例としては、薄板又はフィルムであれば四角形、六角形等の多角形、真円、楕円、半円などの円形、扇形、その他不定形が挙げられ、立体成形物であれば多面体、柱体、錐体、錐台、球体、楕円体、その他不定形が挙げられるが、これらに限定されない。
【００３０】
基部１の大きさの例としては、薄板、フィルム、又はシートであれば縦及び横方向を、立体成形物であれば縦、横及び高さ方向を一定値以下とすれば、持ち運びやすさなどの取扱い性に優れる香料提示用具となる。取扱い性に優れる大きさの例として、基部が薄板、フィルム、又はシートである場合、略Ａ３、Ａ４、Ｂ４、Ｂ５、Ｂ６（国際規格ＩＳＯ２１６又はＪＩＳ規格による寸法）などが例示され、これらのいずれか、又はこれらの範囲内（略Ｂ６〜略Ａ３）の大きさとしてよい。なおこのような大きさは香料提示用具の使用環境に合わせて、任意の規格に従った大きさのものを用いてよい。
【００３１】
基部１の材質の例としては、紙、木材、樹脂、金属などが例示できる。また、一部又は全部が香料不透過性であってもよい。香料不透過性の詳細については後述する。
【００３２】
好ましくは、基部１は、台紙、プラスチックシートなどの誰にでも入手が容易な略平板状のものであり、かつ大きさは上述の略Ｂ６〜Ａ３の範囲内である。このような基部１は入手容易性、取扱い性、及び携帯性に優れ、かつ香料提示用具Ｔを低コスト及び簡便に用意することを可能にする。
【００３３】
また、基部１が薄板、フィルム、又はシートである場合、折り曲げ又は湾曲後、２つの端を任意の係合又は結合手段によって柱状にして、自立可能に変形させて提示することもできる。基部１が立体成形物である場合は、複数の基部を任意の連結手段によって連結して用いてもよい。
【００３４】
更に、基部１は１個以上の孔、くぼみ、及び／又は突起を有していてもよい。
【００３５】
＜香料保持材収容部＞
香料保持材収容部２（以下、単に収容部２とも称する）は、略扁平の袋状をなす部分であり、図１に例示するように、基部１に保持され、香料保持材Ｈを挿入、抜出、及び表出可能な開口部３を有し、かつ、香料不透過性であることを特徴とする。開口部３及び香料不透過性の詳細については後述する。
【００３６】
本発明において袋状とは、香料保持材Ｈの一部又は全部を収容可能な空間を有し、香料保持材Ｈの抜出、抜出、及び表出が可能な開口部を有し、かつ、収容された香料保持材Ｈを保持可能なあらゆる立体形状を包含する。
【００３７】
収容部２は任意の平面形状を有していてよい。複数の収容部２の平面形状は、全て同一でも、２種以上の異なるものでもよい。収容部２の平面形状の例として、多角形、真円、楕円、扇形、これらの一部（例えば、部分円、部分円環、半円など）、及びこれらの任意の組み合わせ（角丸の多角形など）が例示されるが、これらに限定されない。香気のコンタミ防止効果を高める観点からは、長辺と短手方向とを有する平面形状が好ましい。また、好ましくは、香料保持材収容部の短手方向の長さが約１〜３ｃｍの範囲内であり、かつ香料保持材収容部の長手方向の長さが約５〜１８ｃｍの範囲内である。
【００３８】
収容部２の外面は、略平板状でも、少なくとも一部に３次曲面を有していてもよい。
【００３９】
収容部２の外縁は、一部又は全部が直線、曲線、波線、及び／又は鋸刃状の線であってよいが、これらに限定されない。
【００４０】
収容部２は、透明、半透明、不透明のいずれでもよく、任意の１種以上の色を有することができる。
【００４１】
複数の収容部２は、それぞれ異なる香料を保持した香料保持材Ｈを収容しても、同一の香料を保持した香料保持材Ｈを収容してもよい。
【００４２】
収容部２は、入手可能な任意の物品、例えば、匂い紙収容袋を用いてよい。
【００４３】
（開口部について）
開口部３は、上述の通り、香料保持材Ｈを収容部２に挿入及び抜出するための箇所である。また、開口部３から、収容された香料保持材Ｈの一部が表出可能である（図２）。本発明において「表出」とは、香料保持材Ｈ表面の少なくとも一部が収容部２に覆われていない状態であることを意味する。なお、例えば、後に参照する図４に示すように、開口部３からは収容された香料保持材Ｈが表出しなくてもよく、挿入する長さを調節することで香料保持材Ｈの端部を表出させてもよい。
【００４４】
開口部３の平面形状は限定されず、香料保持材Ｈの挿入及び抜出が容易なように設計することができ、例として、略直線、折れ線状、円弧状などが挙げられる。開口部３の一部に切欠が設けられていてもよい。
【００４５】
図２は本発明の香料提示用具Ｔの一態様を示し、それぞれ略直線状及び折れ線状の平面形状を有する２種の開口部３を示している。なお図中、点線は収容部２に覆われている香料保持材Ｈの部分を示し、実線部は開口部３から表出している香料保持材Ｈの部分を示す。図中の２個の香料保持材Ｈは互いに異なる平面形状（すなわち、左から短冊状、及び三角形状）をなすものである。このように互いに異なる開口部３とすることで、各収容部２に収容すべき香料保持材Ｈを一瞥して判別可能にすることもできる。
【００４６】
（香料不透過性について）
本発明の収容部２は、香料不透過性であることを特徴とする。本発明において「香料不透過性」とは、１種以上の香料化合物の透過を抑制する性質を意味し、香料化合物を全く透過しないこと必須とするものではない。収容部２を香料不透過性とすることによって、収容部２に収容された香料保持材Ｈに保持された香料化合物が香料提示の場に揮散するのを抑制することができる。なお、収容部２は全体として香料不透過性であればよく、基部１に保持された収容部２のうち香料化合物の揮散が実質的に無視できる部分は香料不透過性でなくてよい。具体例を挙げると、収容部２と基部１とを別個に製造し、収容部２を基部１に貼着によって保持させる場合、収容部２のうち貼着によって基部１と接触している部分は香料化合物の揮散が実質的に無視できるので、その部分は香料不透過性でなくてもよい。
【００４７】
本発明の収容部２は、一部又は全部がガスバリア性及び／又は保香性とされる１種以上の材料で構成される（以下このような材料をガスバリア材料と称する）。より具体的には、収容部２の一部又は全部が、１種以上のガスバリア材料からなるか、ガスバリア材料と非ガスバリア材料とが混在してなり全体としてガスバリア性及び／又は保香性を有する複合材料からなる。後者の例として、ガス透過性材料がガスバリア性材料でコーティングされた積層構造のもの、２種以上のガス透過性又はガスバリア性材料を積層してなるフィルムの接着層がガスバリア性である積層構造のもの、などが挙げられるが、これらに限定されない。
【００４８】
ガスバリア材料の具体例として、ポリエステル（ＰＥｓ）フィルム、ポリプロピレンフィルム、ポリアミドフィルム、ポリエチレンフィルム、ポリ塩化ビニリデン（ＰＶＤＣ）フィルム、ポリカーボネートフィルム、ポリセロ、ポリアクリロニトリルフィルム、ポリビニルアルコール（ＰＶＡ）フィルム、エチレン−ビニルアルコール共重合体（ＥＶＯＨ）フィルム、メタキシリレンアジパミドフィルム、アルミニウム等の金属又はシリカやアルミナ等の金属酸化物などを任意の薄膜（例えば、紙、木片、布、セロファン、金属箔など）に蒸着した無機蒸着フィルムなどの一般に使用されているガスバリア性フィルムが挙げられるが、これらに限定されない。中でも、二軸延伸ポリエステルフィルム、及びポリアミド系多層延伸フィルムが好ましく使用される。
【００４９】
なお、ガスバリア及び／又は保香性の尺度として、酸素透過度、炭酸透過度、及び水蒸気透過度が例示される。これら透過度の値は特に限定されないが、例えば、酸素透過度については１５０ｃｃ／ｍ２・２４ｈ・ａｔｍ未満、１００ｃｃ／ｍ２・２４ｈ・ａｔｍ未満、又は５０ｃｃ／ｍ２・２４ｈ・ａｔｍ未満（ＪＩＳ  Ｋ７１２９−２（２００６）法による）、炭酸透過度については９００ｃｃ／ｍ２・２４ｈ・ａｔｍ以下、水蒸気透過度については５ｇ／ｍ２・２４ｈ以下（ＪＩＳ  Ｋ７１２９Ｂ法による）であってよい。
【００５０】
又は、ガスバリア性及び／又は保香性の程度は、ヘッドスペース法によるガスクロマトグラフィ又は官能評価によって確認されてもよい。例えば、香料保持材を収容部に一定期間収容した後、１人以上のヒトが収容部の周囲の空気をかいで香りを感じないと判定されるか、その空気のガスクロマトグラフィにおいて香料化合物が検知閾値又は認知閾値以下で検出される又は香料化合物が検出されない場合に、香料不透過性ということができる。上記期間は、香料提示用具の使用条件に合わせて適宜設定してよく、３０分、１時間、３時間、１２時間、２４時間、２日、１週間、２週間、１ヶ月が例示されるが、これらに限定されない。
【００５１】
好ましくは、本発明で使用するガスバリア材料は、更に非吸着性を有する。ここで非吸着性とは、１種以上の揮発性化合物を吸着しない性質を意味する。そのような非吸着性の材料は公知であり、例えば、市販の非吸着性とされる任意の材料を採用してよい。
【００５２】
＜その他任意の要素について＞
香料提示用具Ｔは、本発明の効果を妨げない範囲で、その他の要素を含んでいてもよい。以下にその他の要素の例を示すが、それらに限定されない。
【００５３】
図３は、表示部４及び挿入ガイド部５を備える例を示すものである。以下これらの詳細について説明する。
【００５４】
（表示部）
香料提示用具は１個以上の表示部４を備えていてもよい。
【００５５】
本発明において表示部４とは、香料保持材Ｈが保持する香料に関する情報（香調、保管条件、虐待条件、含有香料化合物、由来生物、製造年、製造企業名など）、及び／又は提示に関する情報（日付、提示を行う企業名、担当者名）など、任意の情報を記載可能な部分であり、情報は記号、文字、文章、色、絵図、写真、立体構造などいかなるもので示されてもよい。表示部の立体形状及び平面形状も情報内容などに応じて任意に決定できる。
【００５６】
表示部４は、本発明の香料提示用具Ｔのいかなる箇所に配置されていてもよい。配置の例として、基部１面上に配置される、基部１と連結される、収容部２面上に配置される、などが例示されるが、これらに限定されない。
【００５７】
表示部４は、基部１又は収容部２に任意の手段で直接情報を記載してなる部分でも、別途作成した表示部４を基部１又は収容部２に貼着や連結など任意の手段にて保持させた部分でもよい。
【００５８】
また好ましくは、複数の収容部２のそれぞれが表示部３のいずれかと対応付けられて配置されている。例えば、図３に示される態様では、表示部４には香調、香料名、提示目的が記載され、各香調を有する香料が２種類ずつ分類されるよう、収容部２が、香調を記載する各表示部と対応付けられて配置されている。
【００５９】
このように、複数の表示部４のそれぞれに、提示する香料に関する異なる特徴が記載され、その表示部４に１個以上の収容部２が隣接している場合、各特徴を有する香料を保持した香料保持材Ｈをこのように配置された収容部２に収容すれば、香料を簡単に特徴や分類毎に分類して提示でき、同じ特徴を有する香料同士、又は異なる特徴の香料間での香料比較検討がより容易となる。
【００６０】
（挿入ガイド部）
収容部２は更に、開口部３の一部から突出する挿入ガイド部５を備えていてもよい（図３）。本発明の香料提示用具の使用者が略扁平の収容部２に香料保持材Ｈを挿入する際に、香料保持材Ｈを挿入ガイド部５に沿わせて挿入を行うことで、より簡単かつスムーズな挿入が可能となる。挿入ガイド部５は、収容部２と連続していても、収容部２との間に界面を有しその界面を介して連接されていてもよい。前者の例としては、収容部２及び挿入ガイド部５が一体成型されてなるもの、後者の例としては、収容部２形成後に挿入ガイド部５を連接してなるものが挙げられるが、これらに限定されない。好ましくは、挿入ガイド部５と収容部２とは略平坦に連続して又は連接されている。なお図３は、収容部２と挿入ガイド部５とが平坦に連続している態様を示している。挿入ガイド部５は、香料不透過性であってもなくてもよい。
【００６１】
（表出窓）
収容部２には、香料保持材Ｈの収容された部分の一部が表出可能な、任意の平面形状の表出窓６が設けられていてもよい。表出窓６が設けられる位置は限定されないが、好ましくは開口部３の近傍である。香料提示用具Ｔの使用者が表出窓６を介して香料保持材Ｈに触れて香料保持材Ｈを所望の方向に移動させることで、香料保持材Ｈの収容部２からの抜出がより容易になる。
【００６２】
図４は、開口部３の近傍に表出窓６を有する収容部２の例を示すものである。点線部分は収容部２に収容されている香料保持材Ｈの部分、斜線部分は表出窓６から表出している香料保持材Ｈの部分を表す。
【００６３】
（各種吸収剤）
香料の劣化を防ぐ抗酸化剤、吸湿剤、その他各種吸収剤を収容部２内に設置することができる。これらの剤は、収容部２に出し入れ可能でも不可能でもよい。
【００６４】
加えて、収容部２がその他の機能性層を含んでいてもよい。例えば、提示する香料を紫外線等の光に曝したくない場合、香料不透過性を有する、不透明又は半透明フィルムや紫外線吸収作用のあるフィルムなどを収容部２の材料に採用してもよい。
【００６５】
＜香料保持材＞
本発明において香料保持材Ｈとは、香料を揮散可能に保持するものである。香料保持材Ｈに香料化合物を保持させるには、香料と香料保持材Ｈとを任意の方法で接触させればよい。例えば、含浸、接着、擦付などが例示されるが、これらに限定されない。ここで、香料保持材が保持する香料とは、１種以上の香料化合物を含有する液体若しくは固体、又は香料化合物そのものを意味する。
【００６６】
香料保持材Ｈの材質は、１種以上の香料化合物が揮散可能に保持され得るものであれば任意であり、例として紙、布、木材、ポリマーなどが挙げられる。無臭であり、かつ保持した香料化合物と化学反応を起こさない又は起こしづらいものが好ましい。
【００６７】
香料保持材Ｈの立体形状は限定されないが、好ましくは略平板状である。
【００６８】
香料保持材Ｈの平面形状も限定されないが、香料提示時の香気のコンタミ防止の観点から、長手方向を有するものであることが好ましい。長手方向の先端及び／又はその近傍に香料を保持させ、香料保持材Ｈを収容部２に挿入する際に、この香料を保持している部分を収容部２への挿入方向の先端とすることで、高い香気コンタミ防止効果が得られる。
【００６９】
香料保持材Ｈの具体例としては、匂い紙（ムエット、香料試験紙、又は試香紙とも呼ばれる）が挙げられる。
【００７０】
また香料保持材Ｈには、表示部４と同様の任意の情報、例えば、香料又は香料化合物名、香調、企業名などが記載されてもよい。
【００７１】
（本発明の香料提示用具のその他の態様）
図５は、本発明の更に他の態様の香料提示用具Ｔの正面図を示すものである。
【００７２】
図５に示す香料提示用具Ｔにおいては、略半円状の基部１は、互いに半径で接するように設けられた扇形の収容部２を複数備えており、各収容部２は挿入ガイド部５を有する。収容部２は、例えば、図５に示すように、三角形の香料保持材Ｈを開口部３からその一部が表出するように収容部２に収容可能である。なお香料保持材Ｈの点線部は収容部２内に収容されている部分を、実線部は開口部３から表出している部分を表す。またこの香料提示用具Ｔは、複数の表示部４を備えている。表示部４は各収容部２に対応付けられて配置され、香料に含まれる香料化合物の濃度（０．０１ｐｐｍ〜１．０ｐｐｍ）を示すものと、香料の種類（香料α、香料β）を示すものと、がある。この態様のように表示部を香料ごとに異なる形状（立体又は平面形状）をなすものとすると、収容ミスを防止することができる。また本発明では、図５に示すように複数の収容部２の全てが香料保持材Ｈを収容しなくてはいけないわけではない。
【００７３】
＜本発明の香料提示用具の適用例＞
本発明の香料提示用具Ｔは、複数の香料の提示を目的としたあらゆる用途に使用できる。例えば、嗅覚検査、香料の官能評価、香料に関するアンケートなどが挙げられるが、これらに限定されない。
【００７４】
＜＜香料提示方法＞＞
本発明の香料提示用具を用いた香料提示方法について、具体例を挙げて説明する。
【００７５】
本発明の香料提示方法は、本発明の香料提示用具、例えば図示した香料提示用具Ｔを用いて、複数の香料を提示する方法である。具体的には、
（１）香料提示用具を用意する工程と、
（２）香料保持材に香料を保持させる工程と、
（３）香料保持材を収容部に挿入する工程と、
（４）香料保持材を収容部から抜き出す工程と、を含んでよい。
【００７６】
以下、より詳細な具体例を挙げる。
【００７７】
本発明の香料提示用具Ｔは、任意の方法によって用意できる。例えば、使用者によって香料の提示日以前に作製しておいても、香料を提示する日や提示する場にて作製することもできる。より具体的には、例えば、使用者によって、複数の市販の香料不透過性匂い紙収容袋（香料保持材収容部２）を、粘着テープによって台紙（基部１）に貼り付けて作製されたものであってよい。本発明の香料提示用具Ｔはこのように、簡便、短時間、かつ低コストで用意可能なものである。
【００７８】
香料提示用具Ｔの提示側使用者は、香料保持材Ｈに香料を保持させ、その香料保持材Ｈを香料提示用具Ｔの収容部２に、開口部３から挿入する。ここで本発明の一の実施態様では、収容された香料保持材Ｈの一部は開口部３から表出する。次いで、その香料提示用具Ｔを、香料を提示したい場に持参して、被提示側使用者又は提示側使用者によって、香料保持材Ｈが収容部２から抜き出される。ここで本発明の一実施態様では、香料保持材Ｈの表出部分を使用者がつまんで香料保持材Ｈを収容部２から抜出する。又は、抜出は任意の道具、例えばピンセットを用いて行ってもよい。香料保持材Ｈは、香料を提示している間、適宜開口部３より収容部２へ再度挿入されるか、再度抜き出される。
【００７９】
香料を保持、例えば含浸させた香料保持材Ｈを全て収容部２に収容した後に、香料提示用具Ｔを香料の提示の場に持参して提示した場合には、香料提示の場で香料提示用具Ｔを被提示側使用者に提供するだけですぐに提示を開始でき、更には、香料の提示の場に香料化合物が揮散していない状態で提示を開始することができ、かつ本発明の香料提示用具によって提示中の揮散も抑制されるので、複数人での複数の香料評価の簡便性及び正確性を更に高くすることができる。
【００８０】
香料は、香料保持材Ｈの全部又は一部に保持されてよい。好ましくは香料保持材Ｈの一部、より好ましくは香料保持材Ｈの収容部２への挿入方向の先端及び／又はその近傍に保持される。より具体的には、香料保持材Ｈの長手方向の先端から約１〜５ｃｍの範囲内に香料が保持されるのが好ましい。
【００８１】
以上、本発明の香料提示用具を用いた香料提示方法の例を示したが、本発明の効果を妨げない範囲で、任意の変更や追加を行ってよいことは言うまでもない。
【符号の説明】
【００８２】
Ｔ  香料提示用具
１  基部
２  香料保持材収容部
３  開口部
４  表示部
５  挿入ガイド部
６  表出窓
Ｈ  香料保持材
【図１】
2018116124.tif 000003
【図２】
2018116124.tif 000004
【図３】
2018116124.tif 000005
【図４】
2018116124.tif 000006
【図５】
2018116124.tif 000007